(57)【要約】【課題】折り畳み操作を容易に行うことができるプレイヤードを提供する。【解決手段】プレイヤード１０の横材１６は、長手方向一方部材１６１と、長手方向他方部材１６２と、長手方向中央部にあってこれら長手方向一方部材および長手方向他方部材と回動可能に連結する中央連結部材２０と、長手方向一方部材と中央連結部材を回動不能にする一方ロック機構２４１と、長手方向他方部材と中央連結部材を回動不能にする他方ロック機構２４２と、これら双方のロック機構を同時に解除して双方のロック解除を保持するロック動作機構２５を有する。【選択図】図９
2012125336.tif 000002
【特許請求の範囲】
【請求項１】
複数の柱材、および前記柱材を互いに連結する複数の横材を有し、乳幼児を収容する空間の周囲を取り囲むように形成された折り畳み可能なフレーム構造体を備え、
前記横材のうち少なくとも一部は、中程で折れ変形可能であり、長手方向一方部材と、長手方向他方部材と、長手方向中央部にあってこれら長手方向一方部材および長手方向他方部材と回動可能に連結する中央連結部材と、前記長手方向一方部材と前記中央連結部材を回動不能にする一方ロック機構と、前記長手方向他方部材と前記中央連結部材を回動不能にする他方ロック機構と、これら双方のロック機構を同時に解除して双方のロック解除を保持するロック動作機構を有する、プレイヤード。
【請求項２】
前記一方ロック機構は、前記中央連結部材に支持されて前記長手方向一方部材の回動を不能にするロック位置および前記長手方向一方部材の回動を許容するフリー位置に選択的にされる一方ロック部材を含み、
前記他方ロック機構は、前記中央連結部材に支持されて前記長手方向他方部材の回動を不能にするロック位置および前記長手方向他方部材の回動を許容するフリー位置に選択的にされる他方ロック部材を含み、
前記ロック動作機構は、前記一方ロック部材および前記他方ロック部材を同時にロック位置からフリー位置にする共通の操作子を含む、請求項１に記載のプレイヤード。
【請求項３】
前記操作子は、原位置から操作位置に操作されることにより前記一方ロック部材および前記他方ロック部材をロック位置からフリー位置に動作させ、
前記ロック動作機構は、前記操作子を前記原位置に復帰させるリターンスプリングをさらに含む、請求項２に記載のプレイヤード。
【請求項４】
前記一方ロック部材および前記他方ロック部材は、貫通孔がそれぞれ形成され、これらの貫通孔を共通する１本の連結ピンが貫通し、
前記中央連結部材は前記連結ピンの両端と係合する中央案内部が形成され、
前記連結ピンは前記中央案内部に沿って移動する、請求項２または３に記載のプレイヤード。
【請求項５】
前記一方ロック部材は前記中央連結部材の一方に配置され、前記他方ロック部材は前記中央連結部材の他方に配置され、中央連結部材の中央を通過する仮想の中心面に関してこれら一方ロック部材および他方ロック部材は対称形状かつ対称配置され、
前記連結ピンは前記中心面に沿ってピン延在方向と直角に移動する、請求項４に記載のプレイヤード。
【請求項６】
前記一方ロック部材は前記連結ピンと平行に延びる一方支持ピンおよび前記一方支持ピンの延在方向に対して傾斜する傾斜面が設けられ、
前記他方ロック部材は前記連結ピンと平行に延びる他方支持ピンおよび前記他方支持ピンの延在方向に対して傾斜する傾斜面が設けられ、
前記中央連結部材は前記中心面に関し一方および他方に対称配置される対称形状の一方案内部および他方案内部が形成され、
前記一方案内部は前記一方支持ピンの両端と係合して、一方支持ピンをピン延在方向と直角に案内し、
前記他方案内部は前記他方支持ピンの両端と係合して、他方支持ピンをピン延在方向と直角に案内し、
前記操作子は前記傾斜面にそれぞれ当接する１対の脚部を有し、前記操作子が操作されることにより、前記脚部が前記支持ピンの延在方向に前進して前記傾斜面を同時に押し込み前記一方ロック部材および前記他方ロック部材を動かす、請求項５に記載のプレイヤード。
【請求項７】
前記一方ロック部材および前記他方ロック部材は、前記傾斜面に隣接して前記連結ピンと平行な面がそれぞれ設けられ、
前記傾斜面を押し込んだ前記脚部は、さらに前進し前記平行面と平行に延びて接触する、請求項６に記載のプレイヤード。
【請求項８】
前記乳幼児収容空間は平面視において矩形を構成し、
前記柱材は、前記矩形の角部にそれぞれ配置され、
前記中程で折れ変形可能な横材は、互いに平行な２本１対の矩形の辺を構成するよう配置される、請求項１〜７のいずれかに記載のプレイヤード。
【発明の詳細な説明】
【技術分野】
【０００１】
本発明は、プレイヤード（プレイペン）の折り畳み構造に関する。
【背景技術】
【０００２】
従来、乳幼児が遊ぶ保護空間を提供するものとして、プレイヤード（プレイペン）が周知である。プレイヤードは、乳幼児が遊ぶ領域を区画する枠組であり、一般的に骨組構造体と、この骨組構造体を包囲する縫製布を備える。このようなものとして例えば特開２００８−１５４７５２（特許文献１）のプレイヤードは、４本の縦枠（柱）と、これら縦枠の上部に配置された４本の上横枠と、これら縦枠の下部に配置された４本の下横枠と、これら下横枠の上に載置された底板と、４本の縦枠の四方に張り渡されたフレームカバーとを有し、四方の側面および底面が閉鎖される。このことにより、プレイヤードの内部に収容された乳幼児が不用意に外部に出ることがないというものである。
【０００３】
またプレイヤードは、持ち運びに資するよう軽量化され、不使用時にはコンパクトに折り畳まれるのが常套であり、特許文献１のフレームのうち水平に延びる上横枠（横材）が、両端側でそれぞれ延びるパイプ部材と、中央部に配置されて両端側のパイプ部材と回動可能に連結する第２折り畳み部で構成される。そして、展開状態で一端側のパイプ部材、第２折り畳み部、他端側のパイプ部材が一直線に延びる。また折り畳み状態でパイプ部材が第２折り畳み部に対して９０度となるよう回動し、これにより両端側のパイプ部材が互いに近づいて平行に揃う。かくして上横枠（横材）は、２箇所のピボット（回動連結点）を有し、使用状態で一直線に延び、折り畳みの際にはコ字状に変形する。
【先行技術文献】
【特許文献】
【０００４】
【特許文献１】特開２００８−１５４７５２号公報  段落番号００５１  図９
【発明の概要】
【発明が解決しようとする課題】
【０００５】
しかし、特許文献１のプレイヤードにあっては、以下に説明するような問題を生ずる。つまりパイプ部材が第２折り畳み部に対して単にピボットで回動可能にされているにすぎず、回動を規制するロック手段を有しない。このため、使用状態および折り畳み状態の両方で不安定である。
【０００６】
そこで、一端側のパイプ部材と第２折り畳み部を回動不能にロックする一方側のロック機構、および他端側のパイプ部材と第２折り畳み部を回動不能にロックする他方側のロック機構を設けることが考えられる。しかしながら、折り畳みの際、これらのロックをすべて解除したにもかかわらず解除が不完全となってしまう懸念がある。この場合、一方のロック機構が解除されず、折り畳み操作がやりづらい。特に、プレイヤードを折り畳む際には複数本の上横枠（横材）を折り畳まなければならないことから、多くのロック機構をすべて確実に解除することは煩雑である。
【０００７】
本発明は、上述の実情に鑑み、折り畳み操作を容易に行うことができるプレイヤードを提供することを目的とする。
【課題を解決するための手段】
【０００８】
この目的のため本発明によるプレイヤードは、複数の柱材、および柱材を互いに連結する複数の横材を有し、乳幼児を収容する空間の周囲を取り囲むように形成された折り畳み可能なフレーム構造体を備える。そして横材のうち少なくとも一部は、中程で折れ変形可能であり、長手方向一方部材と、長手方向他方部材と、長手方向中央部にあってこれら長手方向一方部材および長手方向他方部材と回動可能に連結する中央連結部材と、長手方向一方部材と中央連結部材を回動不能にする一方ロック機構と、長手方向他方部材と中央連結部材を回動不能にする他方ロック機構と、これら双方のロック機構を同時に解除して双方のロック解除を保持するロック動作機構を有する。
【０００９】
かかる本発明によれば、双方のロック機構を同時に解除して双方のロック解除を保持するロック動作機構を有することから、乳幼児の保護者がロック動作機構を解除操作すると、一方ロック機構も他方ロック機構も確実にロック解除される。これにより、折り畳み操作を容易に行うことができる。なお中程で折れ変形可能とは、横材の長手方向中央部を含み、長手方向両端部を除いた長手方向途中の箇所で、折れ変形可能であると理解されたい。
【００１０】
１個の中央連結部材につき双方のロック解除を保持するロック動作機構の構造は双方のロック機構を同時に解除するものであれば特に限定されず、双方のロック機構と機械的にリンクする機構であっても、電動式であってもよい。本発明は一実施形態に限定されるものではないが、一方ロック機構は、中央連結部材に支持されて長手方向一方部材の回動を不能にするロック位置および長手方向一方部材の回動を許容するフリー位置に選択的にされる一方ロック部材を含む。他方ロック機構は、中央連結部材に支持されて長手方向他方部材の回動を不能にするロック位置および長手方向他方部材の回動を許容するフリー位置に選択的にされる他方ロック部材を含む。ロック動作機構は、一方ロック部材および他方ロック部材を同時にロック位置からフリー位置にする共通の操作子を含む。かかる実施形態によれば、乳幼児の保護者が共通する１個の操作子を操作することにより一方側ロック機構も他方側ロック機構も確実にロック解除される。したがってロック動作機構を好適に実現することができる。なお操作子はボタンであってもレバーであってもよく、特に限定されない。
【００１１】
操作子は、原位置から操作位置に操作されることにより一方ロック部材および他方ロック部材を同時に解除するものであればよく、ロック部材を作動させる際の動作については特に限定されない。操作子は、手動で操作位置から原位置に戻されるものであってもよいが、好ましくは自動で操作位置から原位置に戻される。例えば、操作子は、原位置から操作位置に操作されることにより一方ロック部材および他方ロック部材をロック位置からフリー位置に動作させ、ロック動作機構は、操作子を原位置に復帰させるリターンスプリングをさらに含む。かかる実施形態によれば、ロック動作機構がリターンスプリングを含むことから、操作子を操作しない限り、ロック部材がロック位置にされる、したがって、ロックが不用意に解除されることがない。
【００１２】
双方のロック部材を動かすロック動作機構の構造は双方のロック部材を同時に動かすものであれば特に限定されず、双方のロック部材と機械的にリンクする機構であっても、電動式であってもよい。好ましい実施形態として、一方ロック部材および他方ロック部材は、貫通孔がそれぞれ形成され、これらの貫通孔を共通する１本の連結ピンが貫通し、中央連結部材は連結ピンの両端と係合する中央案内部が形成され、連結ピンは中央案内部に沿って移動する。かかる実施形態によれば、一方ロック部材および他方ロック部材を１本の連結ピンが共通して貫通することから、一方ロック部材および他方ロック部材がピンで連結されて連動することができる。したがってロック動作機構として、双方のロック機構を同時に解除する構造を好適に実現することが可能になる。
【００１３】
双方のロック部材を同時に動かすに際して、これらロック部材の挙動は特に限定されず、異なる挙動であってもよいし、同じ挙動であってもよい。より好ましい実施形態として、一方ロック部材は中央連結部材の一方に配置され、他方ロック部材は中央連結部材の他方に配置され、中央連結部材の中央を通過する仮想の中心面に関してこれら一方ロック部材および他方ロック部材は対称形状かつ対称配置され、連結ピンは中心面に沿ってピン延在方向と直角に移動する。かかる実施形態によれば、双方のロック部材が中心面に関して対称に挙動することから、双方のロック機構を同時に解除する構造を好適に実現することが可能になる。
【００１４】
本発明は１実施形態に限定されないが、好ましくは、一方ロック部材は連結ピンと平行に延びる一方支持ピンおよび一方支持ピンの延在方向に対して傾斜する傾斜面が設けられ、他方ロック部材は連結ピンと平行に延びる他方支持ピンおよび他方支持ピンの延在方向に対して傾斜する傾斜面が設けられ、中央連結部材は中心面に関し一方および他方に対称配置される対称形状の一方案内部および他方案内部が形成され、一方案内部は一方支持ピンの両端と係合して、一方支持ピンをピン延在方向と直角に案内し、他方案内部は他方支持ピンの両端と係合して、他方支持ピンをピン延在方向と直角に案内し、操作子は傾斜面にそれぞれ当接する１対の脚部を有し、操作子が操作されることにより、脚部が支持ピンの延在方向に前進して傾斜面を同時に押し込み一方ロック部材および他方ロック部材を動かす。
【００１５】
かかる実施形態によれば、双方のロック部材が中心面に関して対称に挙動することから、双方のロック機構を同時に解除する構造を好適に実現することが可能になる。しかも操作子の脚部が支持ピンの延在方向に前進して一方ロック部材の傾斜面および他方ロック部材の傾斜面を同時に押し込む。したがって、操作子のピン延在方向の前進をロック部材のピン直角方向の動きに変換することが可能となることから、操作子の操作によって確実にロックを解除することができる。
【００１６】
好ましい実施形態として、一方ロック部材および他方ロック部材は、傾斜面に隣接して連結ピンと平行な面がそれぞれ設けられ、傾斜面を押し込んだ脚部は、さらに前進しこれらの平行面と平行に延びて接触する。かかる実施形態によれば、一方ロック部材および他方ロック部材が何らかの力を受けて脚部を押す場合であっても、脚部は一方ロック部材および他方ロック部材によって動かされることはなく、一方ロック部材および他方ロック部材のフリー位置を保持することができる。
【００１７】
柱材は少なくとも上下方向に延びていればよく、上下方向と交差して延びる斜材で有ってもよい。また柱材の本数は特に限定されない。例えば乳幼児収容空間が平面視長方形のプレイヤードであれば、４角にそれぞれ１本ずつの柱材を有する。あるいは六角形など、平面視多角形のプレイヤードであれば、各角にそれぞれ１本ずつの柱材を有してもよい。２本以上の柱材を互いに連結する横材は、少なくとも水平方向に延びていればよく、水平方向と交差して延びる斜材で有ってもよい。つまりフレーム構造体の概略形状は、平面視において特に限定されず、長方形や正方形などの矩形であればよい。あるいは正六角形や正八角形など偶数個の角部を有する正多角形であってもよい。あるいは正六角形や正八角形のうち対向する２辺を他の辺よりも長く伸ばした等角多角形であってもよい。端的に表現すれば、フレーム構造体は平面視において矩形または偶数個の角部を有する等角多角形を構成する。１実施形態として、乳幼児収容空間は平面視において矩形を構成し、柱材は矩形の角部にそれぞれ配置され、横材は平面視において互いに平行な２本１対の矩形の辺を構成するよう配置される。
【００１８】
かかる実施形態によれば、中程で折れ変形可能な横材が、平面視において長方形・正方形など矩形の乳幼児収容空間を形成するフレーム構造体の横材のうち、２本１対の矩形の辺を構成するようが配置されることから、折り畳みの際には効率よく折れ変形させて、フレーム構造体を横材の長手方向に縮小することができる。つまり横材は互いに平行となるよう配置されることから、例えば矩形のフレーム構造体にあっては、短辺同士を効率よく折れ変形させることができ、フレーム構造体を短辺方向に縮小させることができる。あるいは長辺同士を効率よく折れ変形させることができ、フレーム構造体を長辺方向に縮小させることができる。あるいは短辺および長辺のすべてを折れ変形させることができ、フレーム構造体を短辺方向および長辺方向に縮小させることができる。同様に正多角形のフレーム構造体にあっては、互いに平行となるよう配置される２辺１対の横材を効率よく折れ変形させることができ、フレーム構造体をこれら２辺の延在方向に縮小させることができる。
【００１９】
なお上述した本発明の中程で折れ変形可能な横材は上述の配置に限定されず、平面視においてフレーム構造体のすべての横材に配置されてもよいし、すべての横材のうちの幾つかの横材に配置されてもよい。またかかる実施形態の他にも、フレーム構造体は正五角形や正七角形など奇数個の角部を有する正多角形であって、横材がすべての辺に配置されてもよい。
【発明の効果】
【００２０】
このように本発明は、長手方向一方部材と中央連結部材を相対回動不能にする一方ロック機構と、長手方向他方部材と中央連結部材を相対回動不能にする他方ロック機構と、これら双方のロック機構を同時に解除して双方のロック解除を保持するロック動作機構を有することから、乳幼児の保護者がロック動作機構を解除操作すると、一方側ロック機構も他方側ロック機構も確実にロック解除される。これにより、プレイヤードが展開された使用状態では横材が不用意に折り畳まないようロックされる。したがって、プレイヤードの使用状態にあっては横材が折れ変形することがなく、フレーム構造体は使用状態におけるプレイヤードの骨組の役目を確実に果たす。そして複数本の横材を同時に折れ変形させる作業を伴うプレイヤードの折り畳み操作の際、一方側ロック機構をロック解除すれば他方側ロック機構も確実にロック解除される。したがって、乳幼児の保護者がプレイヤードの折り畳み操作を容易・迅速・確実に行うことができる。
【図面の簡単な説明】
【００２１】
【図１】本発明の一実施例になるプレイヤードを示す平面図である。
【図２】同実施例のプレイヤードを示す正面図である。
【図３】同実施例のプレイヤードを示す側面図である。
【図４】同実施例のプレイヤードを示す下面図である。
【図５】同実施例のプレイヤードの折り畳み状態を模式的に示す正面図である。
【図６】同実施例のプレイヤードの折り畳み状態を模式的に示す側面図である。
【図７】同実施例のプレイヤードの折り畳み状態を模式的に示す下面図である。
【図８】ロックされた横材の中央部を取り出して示す平面図である。
【図９】ロックされた横材の中央部を取り出して示す正面図である。
【図１０】図８のＸ−Ｘにおける断面を示す説明図である。
【図１１】図８のＸＩ−ＸＩにおける断面を示す説明図である。
【図１２】中央連結部材を取り出して示す正面図である。
【図１３】ロック解除された横材の中央部を取り出して示す平面図である。
【図１４】ロック解除された横材の中央部を取り出して示す正面図である。
【図１５】図１３のＸＶ−ＸＶにおける断面を示す説明図である。
【発明を実施するための形態】
【００２２】
以下、本発明の実施の形態を、図面に示す実施例に基づき詳細に説明する。
【００２３】
図１〜図７は、本発明の一実施例になるプレイヤードの全体概略を示す。このうち図１〜図４はプレイヤードが展開された使用状態を示し、図５〜図７はプレイヤードの折り畳み状態を模式的に示す。プレイヤード１０は、プレイヤード１０の骨格を構成するフレーム構造体１１と、フレーム構造体１１に取り付けられてフレーム構造体１１の外周を包囲する布状部材１２と、フレーム構造体１１に着脱可能に取り付けられた棒部材１３と、棒部材１３に支持される敷板４１とを備える。
【００２４】
本実施例のプレイヤード１０は、平面視略長方形であるため、便宜上、１対の長辺部分をプレイヤード一方側、プレイヤード他方側、プレイヤード左側、プレイヤード右側、プレイヤード側部、プレイヤード両側部、もしくはプレイヤード左右側部と称する。また１対の短辺部分をプレイヤード一端部、プレイヤード他端部、プレイヤード前端部、プレイヤード後端部、プレイヤード端部、プレイヤード両端部、もしくはプレイヤード前後端部と称する。プレイヤード１０は、乳幼児を遊ばせる枠囲いとして使用できるほか、後述するように乳幼児を寝かせる寝台としても好適に使用可能である。
【００２５】
まずフレーム構造体１１につき説明すると、フレーム構造体１１は乳幼児を収容する空間の周囲を取り囲むように形成され、上下方向に延びる４本の柱材１４と、プレイヤード両側部に設けられた１対の横材１５Ｌ，１５Ｒと、プレイヤード両端部に設けられた１対の横材１６，１６と、平面視において対角線となるよう配置されたクロスパイプ１７とを含む。平面視において、複数の柱材１４は乳幼児を収容する空間の外周に配置され、横材１５Ｌ，１５Ｒ,１６は隣り合う柱材１４，１４同士を互いに連結する。
【００２６】
柱材１４は平面視において長方形となる乳幼児収容空間の四隅の角部で直立するよう配置される。プレイヤード一端部に配置された２本の柱材１４，１４間には、横材１６が架設される。同様に、プレイヤード他端部に配置された２本の柱材１４，１４間にも、横材１６が架設される。同様に、プレイヤード一方側に配置された２本の柱材１４，１４間には、横材１５Ｒが架設される。具体的には、横材１６，１５Ｒの端部は柱材１４の上端部ブロック１４Ｂと回動可能に連結し、プレイヤードの折り畳み時には、横材１６,１５Ｒが柱材１４に近づくよう回動可能である。また横材１６は、中央部に設けられた中央連結部材２０と、中央連結部材２０から長手方向一方へ延びるパイプ１６１と、中央連結部材２０から長手方向他方へ延びるパイプ１６２とで構成される。パイプ１６１およびパイプ１６２は同じ長さの棒部材である。
【００２７】
また横材１５Ｒは、中央部に設けられた中央連結部材２０と、中央連結部材２０から長手方向一方へ延びるパイプ１５１と、中央連結部材２０から長手方向他方へ延びるパイプ１５２とで構成される。パイプ１５１およびパイプ１５２は同じ長さの棒部材であり、パイプ１６１，１６２よりも長い。
【００２８】
プレイヤード両端部に設けられた２本１対の横材１６，１６は平面視において矩形となる乳幼児保護空間の２本１対の短辺を構成する。プレイヤード両側部に設けられた２本１対の横材１５Ｌ，１５Ｒは乳幼児保護空間の２本１対の長辺を構成する。
【００２９】
プレイヤードの使用状態において、中央連結部材２０は中央連結部材２０から長手方向一方へ延びるパイプ１６１および長手方向他方へ延びるパイプ１６２をロックし、横材１６は図３に示すように一直線に保持される。しかし中央連結部材２０のロックを解除すると横材１６が中央部で折れ変形可能にされる。したがって、プレイヤード１０を折り畳むと横材１６が中央部で折れ変形する。そして後述する図６に示すように、中央連結部材２０からパイプ１６１，１６２が上方へ延び、横材１６はＶ字形状にされる。横材１５Ｒも同様に中央連結部材２０が設けられ、プレイヤードの使用状態では一直線にされ、プレイヤードの折り畳み状態では中央部で折れ変形する。そして中央連結部材２０からパイプ１５１，１５２が上方へ延び、横材１５ＲはＶ字形状にされる。
【００３０】
横材１５Ｌも同様に中央連結部材２０が設けられ、プレイヤードの使用状態において図２に示すように一直線に延びている。しかしプレイヤードの折り畳み状態では中央部で折れ変形する。そして後述する図５に示すように、中央連結部材２０からパイプ１５１，１５２が上方へ延び、横材１５ＬはＶ字形状にされる。
【００３１】
なお、複数本の横材のうち横材１５Ｌのみ、プレイヤード右側２箇所のスライド部材１８を介して、柱材１４に回動可能かつ摺動可能に連結される。具体的には、スライド部材１８に上下方向に延びる貫通孔が形成されて、この貫通孔に柱材１４が貫通し、１対のスライド部材１８は柱材１４に沿って摺動可能である。通常、スライド部材１８は留め具１９で摺動不能にされており、スライド部材１８がプレイヤード右側に配置された１対の柱材１４の上端部にそれぞれ固定される。またスライド部材１８は横材１５Ｌの端部と回動可能に連結し、プレイヤードの折り畳み時には横材１５Ｌが柱材１４に近づくよう回動可能である。なお、横材１５Ｌの長手方向一方のパイプ１５１は横材１５Ｒの長手方向一方のパイプ１５１よりもスライド部材１８の寸法分短くされる。同様に横材１５Ｌの長手方向他方のパイプ１５２は横材１５Ｒの長手方向他方のパイプ１５２よりもスライド部材１８の寸法分短くされる。
【００３２】
留め具１９を緩めて１対のスライド部材１８を摺動可能とすると、図２に矢で示すように横材１５Ｌは１対のスライド部材１８とともに下方へ移動し、図２に二点鎖線で示す位置にされ得る。これにより、プレイヤード１０への乳幼児の出し入れが容易になり、保護者はプレイヤード１０内の乳幼児に簡単に手をのばすことができる。なお保護者からみて横材１５Ｌは４本の横材のうち最も近い位置にあることから、前枠とも称する。
【００３３】
クロスパイプ１７は、Ｘ字形状であって、図４に示すように長方形のプレイヤード１０下面で、対角線状に配置される。クロスパイプ１７は、具体的に、Ｘ字の中央に配置された中央連結部材２３と、中央連結部材２３および各柱材１４と連結する４本のパイプ１７１〜１７４で構成される。パイプ１７１〜１７４の一方端は柱材１４とそれぞれ回動可能に連結する。またパイプ１７１〜１７４の他方端は中央連結部材２３とそれぞれ回動可能に連結する。図面の理解を容易にするため、図２および図３では中央連結部材２３の一部を断面にして表す。中央連結部材２３は、４本のパイプ１７１〜１７４が中央連結部材２３の下方へ向かうよう回動することを許容するが、中央連結部材２３の上方へ向かうよう回動することを規制する。プレイヤードの使用状態においてクロスパイプ１７はＸ字に展開された状態を保持することができる。また図５〜図７に示すように、プレイヤードの折り畳み状態において、４本のパイプ１７１〜１７４は中央連結部材２３の下方に集約され、クロスパイプ１７は小さく折り畳まれる。
【００３４】
プレイヤード他端に配置された２本の柱材１４，１４の下端には、車輪２１と、車輪２１の外周を包囲する車輪カバー２２が設けられる。車輪２１は車輪カバー２２の下端から突出してプレイヤード設置床面Ｓに接地する。また図２を参照して、車輪カバー２２のうちプレイヤード内側の一部２２ｓは、車輪カバー２２のうちプレイヤード外側の一部よりもさらに下方へ突出してプレイヤード設置床面Ｓに接地する。このため、プレイヤード設置床面Ｓにすべての柱材１４を接地させる通常の使用状態においては、車輪２１がプレイヤード設置床面Ｓで転動することが阻止される。
【００３５】
しかしながらプレイヤード１０を使用しないときなど、図２および図５の紙面左側に示されるプレイヤード１０の一端部Ａを持ち上げると、車輪カバー突出部２２ｓが設置床面Ｓから離れるとともの車輪２１が設置床面Ｓに接地する。このため、展開された状態および折り畳み状態のプレイヤード１０を傾け、プレイヤード一端部の柱材１４を床面Ｓから離し、プレイヤード他端部の柱材１４下端の車輪２１のみを接地させることによって容易にプレイヤード１０を運搬することができる。
【００３６】
これまで説明したように、横材１５Ｌ，１５Ｒ,１６は中央部でそれぞれ折れ変形可能であり、クロスパイプ１７は中央部で折れ変形可能であり、横材１５Ｌ，１５Ｒ,１６およびクロスパイプ１７の端部は柱材１４と回動可能に連結することから、フレーム構造体１１は、図１〜図５に示す展開された使用状態と、図６に示す折り畳み状態の２形態に変形することができる。
【００３７】
次に布状部材１２につき説明すると、布状部材１２は数ｍｍ程度の網目のネットや、布地などの素材で形成され、４本の柱部材１４の間の４面にそれぞれ張設される。そして布状部材１２の上端は横材１５Ｌ，１５Ｒ，１６に吊り下げられる。また布状部材１２の下端はクロスパイプ１７と略同じ高さ位置にある。これにより布状部材１２、クロスパイプ１７よりも上方に設けられる敷板４１を確実に囲繞する。
【００３８】
次に棒部材１３につき説明すると、棒部材１３は、プレイヤード両側部において直線状に延びる１対の棒状体であって、水平な姿勢にされて、両端が柱材１４に取り付けられる。棒部材１３は、図２に実線および二点鎖線で示すように、柱材１４の下端部および中央部に選択的に取り付けることができる。
【００３９】
すなわち図２および図３を参照して、各柱材１４には高さ位置の異なる２個のブラケット３１,３２が取付固定される。ブラケット３１は柱材の下端領域にあってクロスパイプ１７よりもやや上方に固定される。ブラケット３２は、クロスパイプ１７の中央部に固定される。ブラケット３１，３２は棒部材１３の端部を支持する。硬質の棒部材１３は乳幼児の荷重に加え乳幼児が活発に動く際の衝撃荷重にも耐え得るよう十分な曲げ強度およびせん断強度を有するパイプであり、両端部を除く中央領域が敷板４１下面に沿って延び、両端部がブラケット３１，３２に取り付けられる。これにより棒部材１３は、敷板４１上面に乗せられる乳幼児を安定して支持する。そして乳幼児が敷板の上で活発に活動しても、横材１５Ｌ，１５Ｒ，１６が折れ変形することを防止することができる。
【００４０】
次に中央連結部材２０およびパイプ１５１，１５２を有するプレイヤード両側部の横材１５Ｌ，１５Ｒと、中央連結部材２０およびパイプ１６１，１６２を有するプレイヤード両端部の横材１６，１６につき詳細に説明する。なお、これらの横材１５Ｌ，１５Ｒ，１６はパイプの長さが異なるだけであり、中央連結部材２０における折れ変形の機構についてはすべて共通するため、代表して横材１６につき説明する。
【００４１】
図８は横材の中央部を取り出して示す平面図であり、中央連結部材２０を断面にして表す。図９は横材の中央部を取り出して示す正面図であり、紙面右側は一部断面で表される。図１０は、図８のＸ−Ｘにおける断面を示す説明図である。図１１は、図８のＸＩ−ＸＩにおける断面を示す説明図である。これら図８〜図１１はすべて回動不能にロックされた状態を表す。図１２は中央連結部材を取り出して示す正面図である。
【００４２】
横材１６は、長手方向一方部材になるパイプ１６１と、長手方向他方部材になるパイプ１６２と、長手方向中央部にあってこれらパイプ１６１およびパイプ１６２と回動可能に連結する中央連結部材２０と、パイプ１６１と中央連結部材２０を相対回動不能にする一方ロック機構としての一方ロック部材２４１と、パイプ１６２と中央連結部材２０を相対回動不能にする他方ロック機構としての他方ロック部材２４２と、これら双方のロック機構を同時に解除して双方のロック解除を保持するロック動作機構としてのボタン２５を有する。
【００４３】
説明の便宜のため、中央連結部材２０からみてパイプ１６１を左方とし、パイプ１６２を右方として、以下、左右方向と称する。図８および図９に示すように、中央連結部材２０は左右方向中央を通過する中心線Ｃに関し左右対称に形成され、パイプ１６１およびパイプ１６２中心線Ｃに関し左右対称に配置される。
【００４４】
図９に示すように、パイプ１６１の両端のうち、長手方向中央側の端部は連結軸２６１を介して中央連結部材２０の一方端と回動可能に連結する。またパイプ１６２の両端のうち、長手方向中央側の端部は連結軸２６２を介して中央連結部材２０の他方端と回動可能に連結する。中央連結部材２０は間隔を伴って対向する１対の壁部２０１，２０２を有する。これら壁部２０１，２０２には、連結軸２６１，２６２が架設される。なお図９に示されないパイプ１６１，１６２の他方端部は、柱材１４の上端部ブロック１４Ｂと回動可能に連結する。中央連結部材２０は中間壁部２０３をさらに有し、中間壁部２０３は１対の壁部２０１，２０２の上端とそれぞれ結合する。図１０および図１１の断面図に示すように、壁部２０１〜２０３は断面視コ字状に配置される。
【００４５】
水平方向に延びるパイプ１６１は連結軸２６１よりも端部側で壁部２０３と当接することから、中央連結部材２０よりも下方への回動が規制される。これに対し、パイプ１６１は中央連結部材２０よりも上方への回動が許容される。しかしながらパイプ１６１は、連結軸２６１よりも端部側で一方ロック部材２４１と係合している間は上方への回動も規制され、これによりパイプ１６１は中央連結部材２０に対し相対回動不能にロックされる。
【００４６】
水平方向に延びるパイプ１６２も連結軸２６２よりも端部側で壁部２０３と当接することから、中央連結部材２０よりも下方への回動が規制される。これに対し、パイプ１６２は中央連結部材２０よりも上方への回動が許容される。しかしながらパイプ１６２は、連結軸２６２よりも端部側で他方ロック部材２４２と係合している間は上方への回動も規制され、これによりパイプ１６２は中央連結部材２０に対し相対回動不能にロックされる。
【００４７】
図９に示すように、中央連結部材２０は互いに平行に延びる連結軸２６１，２６２からみて下方へ張り出しており、これらの連結軸２６１，２６２を含む仮想平面よりも下方にロック部材２４１，２４２が取り付けられる。
【００４８】
ここで付言すると、互いに平行に延びる連結軸２６１，２６２は中央連結部材２０の中央を通過する仮想の中心面に関して左右対称形状かつ左右対称配置となる。かかる中心面は図８、図９、図１２、および後述の図１３、図１４において中心線Ｃで表される。
【００４９】
４本の横材１５Ｌ，１６，１５Ｒ，１６によって四方を包囲される乳幼児収容領域をプレイヤード内側とし、乳幼児収容領域の外をプレイヤード外側として、壁部２０２はプレイヤード内側に配置され、壁部２０１はプレイヤード外側に配置される。
【００５０】
壁部２０１の内外両面のうち壁部２０２から遠い側の外側面には、センターロックカバー３０が取付固定される。図９に示すようにセンターロックカバー３０は正面視で楕円形状であり、図８、図１０、図１１に示すように外縁から中央にむかって外側へ膨らんだ立体的形状である。センターロックカバー３０の中央にはセンター孔３０ｈが形成される。センター孔３０ｈは壁部２０１の垂直方向に延び、ボタン２５を収容する。プレイヤード１０の使用状態でボタン２５は通常、図８、図１０、図１１に示すように壁部２０１から離れた原位置にされている。ボタン２５には壁部２０２に向かって突出する脚部２５１，２５２が設けられる。図８に示すように、脚部２５１，２５２は左右方向中央を通過する中心線Ｃに関し左右対称に配置されて、脚部２５１，２５２先端が、壁部２０１に穿設された１対の貫通孔２０ｃをそれぞれ貫通する。
【００５１】
図８および図９に示すように左右方向中央を通過する中心線Ｃを境界にして、一方ロック機構に含まれる一方ロック部材２４１は左側に配置され、他方ロック機構に含まれる他方ロック部材２４２は右側に配置され、両者２４１，２４２の形状は中央連結部材２０の中央を通過する仮想の中心面に関して左右対称形状かつ左右対称配置となる。そこで説明の重複を避けるため、以下、主に他方ロック部材２４２につき説明する。
【００５２】
図９に示すように、他方ロック部材２４２は、１対の壁部２０１，２０２の間に介在する。そして、左右方向中央の中心線Ｃ上に合わせて円形断面の貫通孔２４４が形成される。貫通孔２４４は、同様に形成された一方ロック部材２４２の貫通孔２４３と整列し、これら貫通孔２４３，２４４を、共通する１本の連結ピン２７が貫通する。
【００５３】
図９に示すように、壁部２０１，２０２には左右方向中央の中心線Ｃ上に１対の長孔２０ａが穿設される。図９に示す正面視において１対の長孔２０ａは同一形状、同一寸法、同一位置にあり、上下方向に延び、連結ピン２７の両端とそれぞれ係合する。これにより連結ピン２７は長孔２０ａに案内されて上下方向に移動可能である。なお長孔２０ａは連結ピン２７の延在方向と直角方向に延びることから、連結ピン２７は中心線Ｃに沿ってピン延在方向と直角に移動する。
【００５４】
他方ロック部材２４２のうち中心線Ｃから最も遠い下端部には、断面円形の他方支持ピン２４６の中央領域が固定される。そして他方支持ピン２４６の両端が壁部２０１，２０２に向かってそれぞれ突出し、中心線Ｃよりも右側で壁部２０１，２０２にそれぞれ穿設されて左右方向に延びる１対の長孔２０ｂと係合する。図９に示す正面視において１対の長孔２０ｂは同一形状、同一寸法、同一位置にあるため、他方支持ピン２４６は右側の長孔２０ｂに案内されて左右方向に移動可能である。同様に壁部２０１，２０２のうち中心線Ｃよりも左側にも１対の長孔２０ｂが穿設される。また他方支持ピン２４６と同様に、一方ロック部材２４１に一方支持ピン２４５が固定され、一方支持ピン２４５は中心線Ｃよりも左側の長孔２０ｂに案内されて左右方向に移動可能である。
【００５５】
図１２に示すように、壁部２０１，２０２には中心線Ｃに沿って一対の長孔２０ａが穿設され、中心線Ｃに関し左右対称に二対の長孔２０ｂが穿設される。また壁部２０１には中心線Ｃに関し左右対称に配置された一対の貫通孔２０ｃが穿設される。この他に、壁部２０１，２０２には連結軸２６１が挿通固定される１対の貫通孔２６１ｈと、連結軸２６２が挿通固定される１対の貫通孔２６２ｈが穿設される。貫通孔２６１ｈと貫通孔２６２ｈは中心線Ｃに関し左右対称に配置される。
【００５６】
他方ロック部材２４２のうち他方支持ピン２４６および連結ピン２７の双方から離れた位置には傾斜面２８２が形成される。傾斜面２８２は他方ロック部材２４２の上端部に配置されて連結ピン２７および他方支持ピン２４６の延在方向に対し傾斜し、図１０に示すように壁部２０１寄りに指向する。傾斜面２８２の傾斜は、最も壁部２０１寄りの部位で最も下側にあり、壁部２０２に近づくにつれて徐々に上方に向かう。
【００５７】
傾斜面２８２は他方ロック部材２４２のうち壁部２０１寄りに形成される。これに対し他方ロック部材２４２のうち壁部２０２寄りには、連結ピン２７および他方支持ピン２４６の軸線と平行な面２８４が形成される。平行面２８４および傾斜面２８２は連結ピン２７および他方支持ピン２４６の軸線方向に連続して形成される。
【００５８】
また傾斜面２８２は、ボタン２５から突出して壁部２０２に向かって延びる脚部２５２の先端と近接する。脚部２５２の先端の下端側には、傾斜面２８２と対応するよう切り欠いて形成された脚部傾斜面２５２ｃが形成される。同様に一方ロック部材２４１には傾斜面２８１および平行面２８３が形成され、傾斜面２８１は脚部２５１の先端に形成された脚部傾斜面２５１ｃと近接する。
【００５９】
他方ロック部材２４２のうち他方支持ピン２４６および連結ピン２７の双方から最も離れた位置には上向きに突出する係合突起２９２が形成される。係合突起２９２は他方ロック部材２４２の上縁のうち中心線Ｃから最も離れた位置、つまりパイプ１６２の近傍にある。そして図１１に示すように係合突起２９２の先端がパイプ１６２の外周面と対応する円弧状の凹曲面にされる。したがって係合突起２９２の先端形状は壁部２０１寄りの部位および壁部２０２寄りの部位が壁部２０１，２０２の中間の部位よりも上向きに突出する。
【００６０】
他方ロック部材２４２のロック位置で、連結ピン２７は長孔２０ａ上端にされ、他方支持ピン２４６は長孔２０ｂのうち中心線Ｃに近い方の端にされて、他方ロック部材２４２の係合突起２９２は、下方からパイプ１６２の外周面を係合支持する。これによりパイプ１６２は連結軸２６２回りの回動を不能にされる。
【００６１】
同様に一方ロック部材２４１の係合突起２９１は、下方からパイプ１６１の外周面を支持するように係合する。これによりパイプ１６１は連結軸２６１回りの相対回動を不能にされる。また図９に示す他方ロック部材２４２のロック位置で、連結ピン２７は長孔２０ａの上端に位置し、他方支持ピン２４６は長孔２０ｂのうち中心線Ｃに最も近い端に位置する。そして脚部２５２は壁部２０２から最も離れた位置にある。また図８および図１０に示す一方ロック部材２４１および他方ロック部材２４２のロック位置で、２個のロック部材２４１，２４２を同時に動作させる操作子であるボタン２５は、壁部２０１から最も離れた位置にされる。そして脚部傾斜面２５２ｃは傾斜面２８２のうち最も壁部２０１寄りの部位と接触する。
【００６２】
これまで説明したように、一方ロック部材２４１および他方ロック部材２４２は、中央連結部材２０にそれぞれ支持されて、図８〜図１１に示すようにパイプ１６１，１６２の回動を不能にするロック位置にされる。また一方ロック部材２４１および他方ロック部材２４２は、図１３〜図１５に示すようにパイプ１６１，１６２の回動を許容するフリー位置に選択的にされる。
【００６３】
図１３はロック解除された横材の中央部を取り出して示す平面図であり、中央連結部材２０を断面にして表す。図１４はロック解除された横材の中央部を取り出して示す正面図であり、紙面右側は一部断面で表される。図１５は図１３のＸＩＶ−ＸＩＶにおける断面を示す説明図である。
【００６４】
ボタン２５が前述した図８、図１０、および図１１に示すように壁部２０１から離隔した原位置にあるとき、脚部２５１の先端は傾斜面２８１の最も壁部２０１寄りの部位と接触するとともに、脚部２５２の先端は傾斜面２８２の最も壁部２０１寄りの部位と接触する。
【００６５】
２個のロック部材２４１，２４２を同時に動作させる共通の操作子であるボタン２５はセンター孔３０ｈ内を摺動可能であり、壁部２０１の垂直方向に移動することができる。ボタン２５を押し込むと、ボタン２５は壁部２０１に当接するまで前進し、１対の脚部２５１，２５２を介して一方ロック部材２４１および他方ロック部材２４２を同時にロック位置からフリー位置にする。図１３〜図１５はこれらロック部材２４１，２４２のフリー位置を示す。一方ロック部材２４１はフリー位置で中央連結部材２０に対するパイプ１６１の回動を許容する。他方ロック部材２４２もフリー位置で中央連結部材２０に対するパイプ１６２の回動を許容する。
【００６６】
具体的には、ボタン２５が押し込み操作されて壁部２０１に向かって前進すると、脚部２５１，２５２がピン２４５，２４６，２７の軸線方向に前進して傾斜面２８１，２８２をそれぞれ同時に押し込む。そうすると押し込み力を受けてロック部材２４１，２４２は下方へ移動する。このとき連結ピン２７は長孔２０ａに沿って下方へ移動し、支持ピン２４５，２４６は長孔２０ｂに沿って中央線Ｃから離れる方向へ移動する。これによりロック部材２４１，２４２は移動して姿勢を変える。
【００６７】
ボタン２５が壁部２０１に隣接する操作位置まで前進すると、脚部２５１，２５２は傾斜面２８１，２８２をそれぞれ下方へ押し退け、脚部２５１，２５２の先端が壁部２０２に達する。これによりロック部材２４２は図１３〜図１５に示すフリー位置にされ、ロック部材２４１も中心線Ｃに関して左右対称な姿勢でフリー位置にされる。かくしてボタン２５は、原位置から操作位置に操作されることにより一方ロック部材２４１および他方ロック部材２４２をロック位置からフリー位置に動作させる。
【００６８】
他方ロック部材２４２のフリー位置で、連結ピン２７は長孔２０ａ下端にされ、他方支持ピン２４６は長孔２０ｂのうち中心線Ｃから遠い方の端にされて、係合突起２９２がパイプ１６２から離れて中心線Ｃに近づくように引き込まれる。これによりパイプ１６２は連結軸２６２回りに回動自在にされる。
【００６９】
同様に一方ロック部材２４１の係合突起２９１は、パイプ１６１から離れて中心線Ｃに近づくように引き込まれる。これによりパイプ１６１は連結軸２６１回りに回動自在にされる。
【００７０】
図１５に示すように、他方ロック部材２４２のフリー位置で、脚部２５２は傾斜面２８２と接触しない。そして脚部２５２は平行面２８４と平行に延び、平行面２８４における壁部２０１側から壁部２０２側まで連続して接触する。したがって、他方ロック部材２４２が何らかの力を受けて脚部２５２を上方へ押す場合であっても、脚部２５２は他方ロック部材２４２によって動かされることはなく、他方ロック部材２４２のフリー位置を保持する。同様に脚部２５１は一方ロック部材２４１のフリー位置を保持する。これによりボタン２５はロック解除を保持する。
【００７１】
なお、ロック動作機構は操作子であるボタン２５を原位置に復帰させるリターンスプリングをさらに含んでもよい。かかるリターンスプリングは壁部２０１とボタン２５との間に介挿されて、ボタン２５を壁部２０１から離れるよう付勢する。
【００７２】
ところで本実施例においては、横材１６が長手方向一方に延びるパイプ１６１と、長手方向他方に延びるパイプ１６２と、長手方向中央部にあってこれらパイプ１６１およびパイプ１６２と回動可能に連結する中央連結部材２０と、パイプ１６１と中央連結部材２０を回動不能にする一方ロック機構としての一方ロック部材２４１と、パイプ１６２と中央連結部材２０を回動不能にする他方ロック機構としての他方ロック部材２４２と、これら双方のロック機構を同時に解除して双方のロック解除を保持するロック動作機構としてのボタン２５を有する。また横材１５Ｌ，１５Ｒも同様に構成される。
【００７３】
これにより、プレイヤード１０を折り畳む際に乳幼児の保護者がロック動作機構を操作すると、一方ロック機構も他方ロック機構も確実にロック解除される。この結果、プレイヤードの折り畳み作業中に、一方のパイプ１６１が回動自在にされるが他方のパイプ１６２が回動不能のままであり、折り畳み作業が煩雑になるという不都合が解消される。したがって保護者はプレイヤード１０の折り畳み操作を容易に行うことができる。
【００７４】
また本実施例によれば、ロック動作機構として、一方ロック部材２４１および他方ロック部材２４２を同時にロック位置からフリー位置にする共通の操作子としてのボタン２５を含むことから、簡易なボタン操作によって、２個のロック部材２４１，２４２は確実にロック解除される。したがってロック動作機構を好適に実現することができる。
【００７５】
また操作子としてのボタン２５が原位置から操作位置に操作されることにより一方ロック部材２４１および他方ロック部材２４２をロック位置からフリー位置に動作させる本実施例によれば、ロック動作機構はボタン２５を原位置に復帰させるリターンスプリングをさらに含んでもよい。この結果、ボタン２５を押し込まない限り、ロック部材２４１，２４２がロック位置にされる、したがって、パイプ１６１，１６２のロックが不用意に解除されることがない。
【００７６】
また本実施例によれば、一方ロック部材２４１および他方ロック部材２４２は、貫通孔２４３，２４４がそれぞれ形成され、これらの貫通孔２４３，２４４を共通する１本の連結ピン２７が貫通し、中央連結部材２０は連結ピン２７の両端と係合する中央案内部として長孔２０ａが形成され、連結ピン２７は長孔２０ａに沿って移動する。これにより、一方ロック部材２４１および他方ロック部材２４２がピン２７で連結されて連動することができる。したがってロック動作機構として、双方のロック機構を同時に解除する構造を好適に実現することが可能になる。
【００７７】
また本実施例によれば、一方ロック部材２４１は中央連結部材２０の左方に配置され、他方ロック部材２４２は中央連結部材２０の右方に配置され、中央連結部材２０の中央を通過する仮想の中心面（中心線Ｃ）に関してこれら一方ロック部材２４１および他方ロック部材２４２は対称形状かつ対称配置され、連結ピン２７は中心線Ｃに沿ってピン延在方向と直角に上下移動する。これにより、双方のロック部材２４１，２４２が中心線Ｃに関して対称に挙動し、双方のロック部材２４１，２４２を同時に解除する構造を好適に実現することが可能になる。
【００７８】
また本実施例によれば、一方ロック部材２４１は連結ピン２７と平行に延びる一方支持ピン２４５および一方支持ピン２４５の延在方向に対して傾斜する傾斜面２８１が設けられる。同様に他方ロック部材２４２は連結ピン２７と平行に延びる他方支持ピン２４６および他方支持ピン２４６の延在方向に対して傾斜する傾斜面２８２が設けられる。中央連結部材２０は中心面（中心線Ｃ）に関し左方および右方に対称配置される対称形状の左方案内部および右方案内部になる長孔２０ｂが形成される。左方の長孔２０ｂは一方支持ピン２４５の両端と係合して、一方支持ピン２４５をピン延在方向と直角に案内し、右方の長孔２０ｂは他方支持ピン２４６の両端と係合して、他方支持ピン２４６をピン延在方向と直角に案内する。ボタン２５は傾斜面２８１，２８２にそれぞれ当接する１対の脚部２５１，２５２を有し、ボタン２５が操作されることにより、脚部２５１，２５２が支持ピン２４５，２４６の延在方向に前進して傾斜面２８１，２８２を同時に押し込み一方ロック部材２４１および他方ロック部材２４２を動かす。
【００７９】
これにより、双方のロック部材２４１，２４２が中心面（中心線Ｃ）に関して対称に挙動することから、双方のロック機構を同時に解除する構造を好適に実現することが可能になる。しかもボタンの脚部が支持ピン２４５，２４６の延在方向に前進して一方ロック部材の傾斜面２８１および他方ロック部材の傾斜面２８２を同時に押し込む。したがって、ボタン２５のピン延在方向の前進をロック部材２４１，２４２のピン直角方向の動きに変換することが可能となることから、ボタン２５の操作によって確実にロックを解除することができる。
【００８０】
また本実施例によれば、一方ロック部材２４１および他方ロック部材２４２は、傾斜面２８１，２８２に隣接して連結ピン２７と平行な面２８３，２８４がそれぞれ設けられ、傾斜面２８１，２８２を押し込んだ脚部２５１，２５２は、さらに前進しこれらの平行面２８３，２８４と平行に延びて接触する。これにより、ロック部材２４１，２４２が何らかの力を受けて脚部２５１，２５２を上方へ押す場合であっても、脚部２５１，２５２はロック部材２４１，２４２によって動かされることはなく、ロック部材２４１，２４２のフリー位置を保持することができる。
【００８１】
また本実施例によれば、乳幼児を収容する空間は平面視において矩形を構成し、柱材１４は、この矩形の角部にそれぞれ配置され、中程で折れ変形可能な横材１５Ｌ，１５Ｒは互いに平行な２本１対の矩形の辺を構成するよう配置される。同様に２本の横材１６も互いに平行な２本１対の矩形の辺を構成するよう配置される。これにより、折り畳みの際には横材１５Ｌ，１５Ｒを効率よく折れ変形させることができる。また２本の横材１６を効率よく折れ変形させることができる。
【００８２】
つまり、矩形のフレーム構造体１１において短辺の横材１６，１６は互いに平行となるよう配置されることから、短辺同士を折れ変形させることができ、フレーム構造体１１を短辺方向に縮小させることができる。あるいは長辺の横材１５Ｌ，１５Ｒは互いに平行となるよう配置されることから、長辺同士を折れ変形させることができ、フレーム構造体を長辺方向に縮小させることができる。あるいは短辺および長辺のすべてを折れ変形させることができ、フレーム構造体１１を短辺方向および長辺方向に縮小させることができる。
【００８３】
以上、図面を参照してこの発明の実施の形態を説明したが、この発明は、図示した実施の形態のものに限定されない。図示した実施の形態に対して、この発明と同一の範囲内において、あるいは均等の範囲内において、種々の修正や変形を加えることが可能である。
【産業上の利用可能性】
【００８４】
この発明になるプレイヤードは、育児用家具ないし育児用器具において有利に利用される。
【符号の説明】
【００８５】
１０  プレイヤード、１１  フレーム構造体、１２  布状部材、１３  棒部材、１４  柱材、１５Ｌ  横材（前枠）、１５Ｒ，１６  横材、１７  クロスパイプ、１８  スライド部材、１９  留め具、２０  中央連結部材、２０ａ，２０ｂ  長孔、２０ｃ  貫通孔、２０１，２０２，２０３  壁部、２１  車輪、２２  車輪カバー、２３  中央連結部材、２４１  一方ロック部材、２４２  他方ロック部材、２４３，２４４  貫通孔、２４５  一方支持ピン、２４６  他方支持ピン、２５  ボタン、２４１，２５２  脚部、２６１，２６２  連結軸、２７  連結ピン、２８１，２８２  傾斜面、２８３，２８４  平行面、２９１，２９２  係合突起、３０  センターロックカバー、３１，３２  ブラケット、４１  敷板、４２  布製筒状部材、５１  第１壁板、５２  第２壁板、５３  第３壁板、５４  第４壁板、Ｓ  プレイヤード設置床面。
【図１】
2012125336.tif 000003
【図２】
2012125336.tif 000004
【図３】
2012125336.tif 000005
【図４】
2012125336.tif 000006
【図５】
2012125336.tif 000007
【図６】
2012125336.tif 000008
【図７】
2012125336.tif 000009
【図８】
2012125336.tif 000010
【図９】
2012125336.tif 000011
【図１０】
2012125336.tif 000012
【図１１】
2012125336.tif 000013
【図１２】
2012125336.tif 000014
【図１３】
2012125336.tif 000015
【図１４】
2012125336.tif 000016
【図１５】
2012125336.tif 000017